(57)【要約】      （修正有）【課題】バッテリ装置の監視線の固定構造を提供する。【解決手段】バッテリ装置は、ハウジングフレーム１１、導電金属片１３及び複数の電池セル１５を含み、導電金属片はハウジングフレームに設けられ、各電池セルは、ハウジングフレームにそれぞれ配列されるとともに、導電金属片を介して直列又は並列に互いに接続され、監視線１２は電池セルに電気的に接続され、固定構造は少なくとも１つの留め部１１１と少なくとも１つの凹溝部１１３を含み、留め部及び凹溝部はハウジングフレームにそれぞれ設けられ、監視線の線体の一部は留め部に掛止され、監視線の線体の他の部分は凹溝部内に設けられる。バッテリ装置のハウジングフレームには留め部と凹溝部が設けられているため、監視線の抜け落ちが回避されるよう固定しやすい。【選択図】図４
0003223586.tif 000002
【実用新案登録請求の範囲】
【請求項１】
バッテリ装置の監視線の固定構造であって、
バッテリ装置は、ハウジングフレーム、導電金属片及び複数の電池セルを含み、導電金属片はハウジングフレームに設けられ、各電池セルは、ハウジングフレームにそれぞれ配列されるとともに、導電金属片を介して直列又は並列に互いに接続され、監視線は電池セルに電気的に接続され、固定構造は少なくとも１つの留め部と少なくとも１つの凹溝部を含み、留め部及び凹溝部はハウジングフレームにそれぞれ設けられ、監視線の線体の一部は留め部に掛止され、監視線の線体の他の部分は凹溝部内に設けられる構造。
【請求項２】
当該導電金属片の一方の側には少なくとも１つの溶接部が設けられ、当該溶接部はベース及び少なくとも１つの穿孔プレートを含み、当該穿孔プレートは、当該ベースの平面に垂直に設けられるとともに貫通孔を含み、当該監視線の一端は、当該穿孔プレートの当該貫通孔に挿通されて当該ベースの平面に溶接される請求項１に記載の固定構造。
【請求項３】
当該穿孔プレートの設置方向と、挿通される当該監視線の整線設置方向との間には第１夾角が存在し、当該第１夾角は３０°〜６０°の間である請求項２に記載の固定構造。
【請求項４】
当該第１夾角は４５°である請求項３に記載の固定構造。
【請求項５】
当該ベースの左右両側に当該穿孔プレートがそれぞれ設けられ、当該監視線の一端は、当該ベースの右側における当該穿孔プレートに挿通されて当該ベースに溶接されるか、当該ベースの左側における当該穿孔プレートに挿通されて当該ベースに溶接される請求項２に記載の固定構造。
【請求項６】
当該ベースの左右両側における当該穿孔プレートの間には第２夾角が存在し、当該第２夾角は９０°である請求項５に記載の固定構造。
【請求項７】
当該監視線の線体は配線材料と心線を含み、当該配線材料が当該心線を被覆し、当該監視線の一端における当該配線材料と当該心線は共に当該貫通孔に挿通されて当該ベースに溶接される請求項２に記載の固定構造。
【請求項８】
当該貫通孔、当該留め部及び当該凹溝部は、互いに略直線方向に沿うようそれぞれ延設される請求項２に記載の固定構造。
【考案の詳細な説明】
【技術分野】
【０００１】
本考案は固定構造に関し、特に、バッテリ装置の監視線を固定するための構造に関する。
【背景技術】
【０００２】
電池セルは電気エネルギーを蓄積する機能を有し、複数の電池セルを直列又は並列に接続することでバッテリ装置が構成される。バッテリ装置は機器の電気供給源となり得、例えば、電気自動車の電気供給源とされる。また、バッテリ装置には金属導電片が含まれ得る。金属導電片は各電池セルの電極端（正極端又は負極端）に接続され、各電池セルが金属導電片を介して直列又は並列に接続される。
【０００３】
更に、バッテリ装置は監視線に電気的に接続可能であり、例えば、バッテリ容量や電池セルの電圧・電位、又は充放電電流といったバッテリ装置の動作パラメータが監視線を通じて監視される。これまで、監視線は、テープ又は接着剤によってバッテリ装置のハウジングフレーム又は電池セルに固定されることが多かった。しかし、テープや接着剤により監視線を固定する場合には、接着性が不足するとの問題があり、ハウジングフレームや電池セルから監視線が抜け落ち易い。結果として、監視線の短絡や断線の恐れが増加していた。
【考案の概要】
【考案が解決しようとする課題】
【０００４】
本考案の一の目的は、バッテリ装置が、ハウジングフレーム、導電金属片及び複数の電池セルを含み、ハウジングフレームの外側に少なくとも１つの留め部と少なくとも１つの凹溝部がそれぞれ設けられており、監視線の線体の一部が留め部を通過して、留め部により掛止及び固定され、線体の他の部分が凹溝部を通過して凹溝部内で整線及び固定されるバッテリ装置の監視線の固定構造を提供することである。この場合、留め部及び凹溝部等の固定部材を設けて監視線の線体をハウジングフレームに固定することで、監視線の抜け落ちの恐れが防止される。
【０００５】
本考案の他の目的は、バッテリ装置が少なくとも１つの溶接部を更に含み、溶接部が、導電金属片の一方の側に設けられるとともにベース及び少なくとも１つの穿孔プレートを有し、監視線の一端が、穿孔プレートの貫通孔に挿通されてはんだによりベースの平面に溶接されるバッテリ装置の監視線の固定構造を提供することである。この場合、はんだは溶接部によって取り囲まれるため、監視線の端点を溶接する過程で、導電金属片、電池セル又はその他の部材にはんだが意図せず滴下するとの事態が回避される。
【０００６】
本考案の更なる目的は、監視線の線体が配線材料と心線を含み、監視線を溶接部に溶接しようとする場合、監視線の一端における配線材料と心線を共に貫通孔に挿通し、溶接部の内部に進入させるバッテリ装置の監視線の固定構造を提供することである。この場合、監視線の一端における線体が貫通孔により完全に位置決めされ、正確な溶接が可能となるため、監視線の溶接強度が向上する。
【０００７】
本考案の更なる目的は、固定効果が向上するよう、バッテリ装置に溶接部、留め部及び凹溝部を設けて監視線の線体を複数の点で固定するとともに、ハウジングフレーム及び導電金属片上に、溶接部、留め部及び凹溝部等の固定構造が直接設計されるバッテリ装置の監視線の固定構造を提供することである。製造者は、監視線の固定作業を実施する際に、部品を別途組み付けることなく、容易に監視線をバッテリ装置に固定することが可能である。よって、監視線の固定作業時間が短縮される。
【課題を解決するための手段】
【０００８】
上記の目的を達成するために、本考案は、バッテリ装置の監視線の固定構造を提供する。バッテリ装置は、ハウジングフレーム、導電金属片及び複数の電池セルを含み、導電金属片はハウジングフレームに設けられ、各電池セルは、ハウジングフレームにそれぞれ配列されるとともに、導電金属片を介して直列又は並列に互いに接続され、監視線は電池セルに電気的に接続され、固定構造は少なくとも１つの留め部と少なくとも１つの凹溝部を含み、留め部及び凹溝部はハウジングフレームにそれぞれ設けられ、監視線の線体の一部は留め部に掛止され、監視線の線体の他の部分は凹溝部内に設けられる。
【０００９】
本考案の実施例において、導電金属片の一方の側には少なくとも１つの溶接部が設けられ、溶接部はベース及び少なくとも１つの穿孔プレートを含み、穿孔プレートは、ベースの平面に垂直に設けられるとともに貫通孔を含み、監視線の一端は、穿孔プレートの貫通孔に挿通されてベースの平面に溶接される。
【００１０】
本考案の実施例において、穿孔プレートの設置方向と、挿通される監視線の整線設置方向との間には第１夾角が存在し、第１夾角は３０°〜６０°の間である。
【００１１】
本考案の実施例において、第１夾角は４５°である。
【００１２】
本考案の実施例において、ベースの左右両側に穿孔プレートがそれぞれ設けられ、監視線の一端は、ベースの右側における穿孔プレートに挿通されてベースに溶接されるか、ベースの左側における穿孔プレートに挿通されてベースに溶接される。
【００１３】
本考案の実施例において、ベースの左右両側における穿孔プレートの間には第２夾角が存在し、第２夾角は９０°である。
【００１４】
本考案の実施例において、監視線の線体は配線材料と心線を含み、配線材料が心線を被覆し、監視線の一端における配線材料と心線は共に貫通孔に挿通されてベースに溶接される。
【００１５】
本考案の実施例において、貫通孔、留め部及び凹溝部は、互いに略直線方向に沿うようそれぞれ延設される。
【図面の簡単な説明】
【００１６】
【図１】図１は、本考案における監視線が設けられていないバッテリ装置の構造斜視図である。
【図２】図２は、図１のＡ１領域の部分拡大図である。
【図３】図３は、本考案における監視線が設けられたバッテリ装置の構造斜視図である。
【図４】図４は、図３のＡ２領域の部分拡大図である。
【図５】図５は、図３のＡ２領域における溶接部に監視線が溶接された部分拡大図である。
【図６】図６は、本考案の溶接部の平面図である。
【考案を実施するための形態】
【００１７】
本考案における監視線が設けられていないバッテリ装置の構造斜視図である図１と、図１のＡ１領域の部分拡大図である図２と、本考案における監視線が設けられたバッテリ装置の構造斜視図である図３と、図３のＡ２領域の部分拡大図である図４を参照する。図１、図２、図３及び図４に示すように、本考案のバッテリ装置１００は、ハウジングフレーム１１、導電金属片１３、及び複数の電池セル１５を含む。
【００１８】
導電金属片１３はハウジングフレーム１１に架設されている。各電池セル１５は、ハウジングフレーム１１にそれぞれ配列されており、且つ、導電金属片１３を介して直列又は並列に互いに接続されている。また、監視線１２は電池セル１５に電気的に接続されており（接続は図示していない）、例えば、バッテリ容量、電池セル１５の電圧・電位又は充放電電流といったバッテリ装置１００の動作パラメータが監視線１２を介して監視される。
【００１９】
本考案において、ハウジングフレーム１１の外側には、少なくとも１つの留め部１１１と、少なくとも１つの凹溝部１１２，１１３がそれぞれ設けられている。監視線１２の線体の一部は留め部１１１を通過して、留め部１１１により掛止及び固定される。また、線体の他の部分は凹溝部１１２，１１３を通過して、凹溝部１１２，１１３内で整線及び固定される。このように、留め部１１１及び凹溝部１１２，１１３等の固定部材を設けて監視線１２の線体をハウジングフレーム１１に固定することで、監視線１２の抜け落ちの恐れが防止される。
【００２０】
更に、本考案のバッテリ装置１００は少なくとも１つの溶接部１７を含む。溶接部１７は、導電金属片１３の一方の側に設けられるとともに、導電金属片１３に接続される。溶接部１７は、ベース１７１と、少なくとも１つの穿孔プレート１７３を含む。穿孔プレート１７３は、ベース１７１の平面に垂直に設けられるとともに、貫通孔１７２を含む。図４及び図５に示すように、監視線１２の一端は穿孔プレート１７３の貫通孔１７２に挿通可能であり、はんだ１４によりベース１７１の平面に溶接される。そのため、監視線１２の一端を溶接部１７のベース１７１に溶接する際、はんだ１４は溶接部１７に取り囲まれる。これにより、監視線の端点を溶接する過程で、導電金属片１３、電池セル１５又はその他の部材にはんだ１４が意図せず落下するとの事態が回避される。
【００２１】
また、更に図６を合わせて参照して、監視線１２の線体は配線材料１２１と心線１２３を含み、配線材料１２１が心線１２３を被覆している。監視線１２を溶接部１７に溶接しようとする場合には、監視線１２の一端における配線材料１２１と心線１２３を共に貫通孔１７２に挿通し、溶接部１７の内部に進入させる。その後、溶接作業を行うときに、監視線１２の一端における配線材料１２１と心線１２３を共にベース１７１の平面に溶接する。このように実施すれば、監視線１２の一端を貫通孔１７２に挿通する際に、当該一端の線体が貫通孔１７２によって完全に位置決めされるため、正確な溶接が可能となり、監視線１２の溶接強度が向上する。
【００２２】
本考案における穿孔プレート１７３の設置方向と、挿通される監視線１２の整線設置方向との間には第１夾角θ１が存在する。第１夾角θ１は、３０°〜６０°の範囲である。好ましくは、第１夾角θ１は４５°とする。そのため、監視線１２の一端は特定の角度で穿孔プレート１７３の貫通孔１７２に挿通され、大きな角度で折れ曲がるとの事態を回避可能である。よって、監視線１２の心線１２３が大きな曲げ応力を受けて断線する確率が低下する。
【００２３】
本考案の実施例において、溶接部１７は２つの穿孔プレート１７３を有し、２つの穿孔プレート１７３がそれぞれベース１７１の左右両側に設けられる。本考案の実施例において、２つの穿孔プレート１７３の間には第２夾角θ２が存在する。第２夾角θ２は９０°である。本考案の監視線１２の一端は、ベース１７１の右側における穿孔プレート１７３に挿通されてベース１７１に溶接可能とするか、ベース１７１の左側の穿孔プレート１７３に挿通されてベース１７１に溶接可能とする。そのため、本考案の監視線１２は、自身の設置方向に応じて適切な位置の穿孔プレート１７３を選択し、挿設可能なことから、複雑な配線が回避される。
【００２４】
本考案の実施例において、監視線１２の線体がまっすぐに引っ張られて貫通孔１７２、留め部１１１及び凹溝部１１２，１１３に固定されるよう、貫通孔１７２、留め部１１１及び凹溝部１１２，１１３は、互いに略直線方向に沿うようそれぞれ延設される。これにより、監視線１２の線体の揺動が防止され、固定効果が向上する。
【００２５】
上述したように、本考案のバッテリ装置１００は、溶接部１７、留め部１１１及び凹溝部１１２，１１３を設けることで、監視線１２の線体を例えば３つ以上の点というように複数の点で固定する。バッテリ装置１００をモバイルデバイスに応用する場合、監視線１２は、溶接部１７、留め部１１１及び凹溝部１１２，１１３により形成される複数の点で固定するとの効果を得られるため、モバイルデバイスの動作時のぐらつきによる監視線１２の抜け落ちや引っ張りによる断線の恐れを回避可能となる。このほか、本考案では、ハウジングフレーム１１及び導電金属片１３に固定部材（例えば、留め部１１１、凹溝部１１２，１１３及び溶接部１７）を直に設計している。そのため、製造者は監視線１２の固定作業を実施する際に部品を別途組み付けることなく、容易に監視線１２をバッテリ装置１００に固定することが可能である。よって、監視線１２の固定作業時間が短縮される。
【００２６】
なお、以上は本考案の好ましい実施例にすぎず、本考案の実施範囲を限定するものではない。本考案の請求の範囲に記載する形状、構造、特徴及び精神に基づく等価の変形又は補足は、いずれも本考案の請求の範囲に含まれる。
【符号の説明】
【００２７】
１００  バッテリ装置
１１    ハウジングフレーム
１１１  留め部
１１２  凹溝部
１１３  凹溝部
１２    監視線
１２１  配線材料
１２３  心線
１３    導電金属片
１４    はんだ
１５    電池セル
１７    溶接部
１７１  ベース
１７２  貫通孔
１７３  穿孔プレート
【図１】
0003223586.tif 000003
【図２】
0003223586.tif 000004
【図３】
0003223586.tif 000005
【図４】
0003223586.tif 000006
【図５】
0003223586.tif 000007
【図６】
0003223586.tif 000008